(57)【要約】      （修正有）【課題】ＬＥＤランププレートを提供する。【解決手段】ＬＥＤランププレートは、シャーシ１とＬＥＤランプパネル２を含み、シャーシ１には凸台が設けられ、ＬＥＤランプパネル２は凸台に固定されており、透明カバー３はシャーシに固定接続して互いに係合し、ＬＥＤランプパネル２は透明カバーとシャーシの間に密閉され、透明カバーには収容溝が設けられている。これにより、ＬＥＤランプパネルは凸台に固定的に取り付けられるため、ＬＥＤランプが取り付けられた後、その内部の他の構造部品がＬＥＤランプの光線を阻止せず、充分にＬＥＤランプの光線を利用することができ、ＬＥＤランプのために更に広い照明角度を提供し、シャーシの構造が簡単で、かつ配置が合理的である。透明カバー３はＬＥＤライトバー２１を覆って防塵防虫作用を果たすため、ＬＥＤランプの発光耐久性を高め、更に感電を防止し、人体の安全を確保する。収容溝は電源線の収容に用いられて、取り付けが容易になる。【選択図】図２
0003201526.tif 000002
【実用新案登録請求の範囲】
【請求項１】
ＬＥＤランププレートであって、
シャーシ（1）と、ＬＥＤランプパネル（2）と、透明カバー（3）と、を含み、前記シャシ（1）には凸台（11）が設けられ、前記ＬＥＤランプパネル（2）は凸台（11）に固定され、前記透明カバー（3）はシャーシ（1）に固定接続して互いに係合しており、前記ＬＥＤランプパネル（2）は透明カバー（3）とシャーシ（1）の間に密閉されており、前記透明カバー（3）は収容溝（32）が設けられている、ことを特徴とするＬＥＤランププレート。
【請求項２】
前記凸台（11）は環状を呈し、前記ＬＥＤランプパネル（2）は複数のＬＥＤライトバー（21）を含み、複数の前記ＬＥＤライトバー（21）は首尾が接続して環状を形成する、ことを特徴とする請求項１に記載のＬＥＤランププレート。
【請求項３】
前記ＬＥＤライトバー（21）は6個であり、6個の前記ＬＥＤライトバー（21）は首尾が接続して正六角形を形成する、ことを特徴とする請求項２に記載のＬＥＤランププレート。
【請求項４】
前記シャーシ（1）には第1取付孔（12）が設けられている、ことを特徴とする請求項２に記載のＬＥＤランププレート。
【請求項５】
前記第1取付孔（12）の辺縁には第1フランジ（13）が設けられ、前記第1フランジ（13）の突出方向と凸台（11）の突出方向が一致する、ことを特徴とする請求項４に記載のＬＥＤランププレート。
【請求項６】
前記透明カバー（3）には第2取付孔（31）が設けられている、ことを特徴とする請求項１に記載のＬＥＤランププレート。
【請求項７】
前記透明カバー（3）には引込み線孔（33）が設けられている、ことを特徴とする請求項１に記載のＬＥＤランププレート。
【請求項８】
留め金（4）を更に含み、前記留め金（4）はシャーシ（1）に固定接続する、ことを特徴とする請求項１に記載のＬＥＤランププレート。
【考案の詳細な説明】
【技術分野】
【０００１】
本考案はランププレートに関し、特にＬＥＤランププレートに関する。
【背景技術】
【０００２】
従来技術のLEDシーリングライトは、通常ＬＥＤランプパネルをシャーシ内に固定し、更にシャーシにランプカバーを取り付けている。ＬＥＤランプに並列する回路基板を配置するため、シャーシには専用の空間と接続端子用取付溝などを配置する必要があり、シャーシの構造が非常に複雑になって、加工しにくくなると同時に、シャーシの構造はＬＥＤランプから発する一部の光線を阻止して、ＬＥＤランプの照明角度が広くならないようにしている。
【考案の概要】
【考案が解決しようとする課題】
【０００３】
本考案の目的は、構造が簡単で、配置が合理的で、照明角度が広いＬＥＤランププレートを提供することである。
【課題を解決するための手段】
【０００４】
本考案の提供するＬＥＤランププレートは、シャーシとＬＥＤランプパネルを含み、シャーシには凸台が設けられ、ＬＥＤランプパネルは凸台に固定され、透明カバーはシャーシに固定接続して互いに係合し、ＬＥＤランプパネルは透明カバーとシャーシの間に密閉されており、透明カバーには収容溝が設けられている。ＬＥＤランプパネルは凸台に固定的に取り付けられることにより、ＬＥＤランプが取り付けられた後、その内部の他の構造部品がＬＥＤランプの光線を阻止しないため、ＬＥＤランプの光線を充分に利用することができ、ＬＥＤランプのために更に広い照明角度を提供し、シャーシの構造が簡単で、かつ配置が合理的になる。透明カバーはＬＥＤライトバーを覆って防塵防虫作用を果たすため、ＬＥＤランプの発光耐久性を高め、更に感電を防止して、人体の安全を確保することができる。収容溝は電源線の収容に用いられ、取り付けが更に容易になる。
【０００５】
いくつかの実施形態では、凸台は環状を呈し、ＬＥＤランプパネルは複数のＬＥＤライトバーを含み、複数のＬＥＤライトバーは首尾が接続して環状を形成している。これにより、環状のＬＥＤランプパネルはＬＥＤランプ内部で均一に分布された照明を形成することができる。
【０００６】
いくつかの実施形態では、ＬＥＤライトバーは6個であり、6個の前記ＬＥＤライトバーは首尾が接続して正六角形を形成する。これにより、６個のＬＥＤライトバーは取り付けと加工が容易になり、材料を節約すると同時に、発光効果を保証することができる。
【０００７】
いくつかの実施形態では、シャーシには第1取付孔が設けられている。これにより、第1取付孔はＬＥＤランプを懸吊するホルダの取り付けに用いられる。
【０００８】
いくつかの実施形態では、第1取付孔の辺縁には第1フランジが設けられ、第1フランジの突出方向と凸台の突出方向が一致する。これにより、第1フランジがホルダと容易に係合して、ＬＥＤランプが堅固に取り付けられている。第1フランジと凸台のシャーシは凹部を形成し、凹部は回路基板の配置に用いられて、回路基板が光源を阻止しないようにしている。
【０００９】
いくつかの実施形態では、透明カバーには第2取付孔が設けられている。これにより、第2取付孔は第1取付孔に係合して、ホルダの取り付けが容易になる。透明カバーの辺縁はシャーシに係合し、第2取付孔の辺縁は第1取付孔の辺縁に係合して、ＬＥＤランプパネルを透明カバーとシャーシの間に密閉させている。
【００１０】
いくつかの実施形態では、透明カバーには引込み線孔が設けられている。これにより、引込み線孔はＬＥＤランプパネルに接続する電源線のための通路になっている。
いくつかの実施形態では、ＬＥＤランププレートは留め金を更に含み、留め金とシャーシが固定接続する。これにより、留め金はＬＥＤランプのランプカバーの取り付けに用いられる。
【考案の効果】
【００１１】
本考案は、シャーシとランプパネルを合理的に分布させることにより、シャーシの構造が簡単になり、照明強度を保証すると同時に、ランプパネルの材料を節約し、更にＬＥＤランプのために更に広い照明角度を提供する。透明カバーでＬＥＤライトバーを覆って防塵防虫作用を果たすため、ＬＥＤランプの発光耐久性を高め、更に感電を防止して、人体の安全を確保することができる。
【図面の簡単な説明】
【００１２】
【図１】図１は、本考案の１実施形態のＬＥＤランププレートの構造を示す図である。
【図２】図２は、図１に示すＬＥＤランププレートの分解構造を示す図である。
【図３】図３は、図１に示すＬＥＤランププレートの透明カバーを解除した際の構造を示す図である。
【図４】図４は、図２に示すＬＥＤランププレートのシャーシの構造を示す図である。
【図５】図５は、図２に示すＬＥＤランププレートの透明カバーの構造を示す図である。
【考案を実施するための形態】
【００１３】
下記では、図面を用いて本考案に対して更に詳細に説明する。
【００１４】
図１〜図５は、本考案の実施形態に基づくＬＥＤランププレートを示す。
【００１５】
図１〜図５に示すように、ＬＥＤランププレートはシャーシ1、ＬＥＤランプパネル2と透明カバー3を含み、シャーシ1には凸台11が設けられ、LEDランプパネル2は凸台11に固定され、透明カバー3はシャーシ1に固定接続する。
【００１６】
シャーシ1は円形であり、凸台11は環状を呈し、ＬＥＤランプパネル2は複数のＬＥＤライトバー21を含み、複数のＬＥＤライトバー21は首尾が接続して環状を形成する。もちろん、環状のＬＥＤランプパネル2が１つだけ凸台11に取り付けられてもよい。凸台11は、シャーシ1の構造、及び該シャーシ1内に取り付けられているパーツがＬＥＤランプから発する光線の阻止を防止するため、ＬＥＤランプが更に広い照明角度を有することができる。
【００１７】
好ましくは、ＬＥＤライトバー21は6個であり、6個のＬＥＤライトバー21は同じ形状の台形になっており、6個のＬＥＤライトバー21は首尾が接続して正六角形を形成する。各ＬＥＤライトバー21には複数のＬＥＤランプが分布している。
【００１８】
図4に示すように、シャーシ1の中心には第1取付孔12が設けられ、第1取付孔12の辺縁には環状の第1フランジ13が設けられており、第1フランジ13の突出方向と凸台11の突出方向が一致する。
【００１９】
第1取付孔12はＬＥＤランプを懸吊するホルダの取り付けに用いられており、ホルダは第1フランジ13を締付けてＬＥＤランプを堅固に取り付けている。凸台11と第1フランジ13の間には凹部14が形成されており、ＬＥＤランプから発する光線を阻止しないように、ＬＥＤライトバー21に接続する回路基板は凹部14内に収容されている。
【００２０】
図1及び図5に示すように、透明カバー3は円盤状で、透明カバー3とシャーシ1はねじにより固定接続する。透明カバー3とシャーシ1は互いに係合してＬＥＤランプパネル2を透明カバー3とシャーシ1の間に密閉させている。
【００２１】
透明カバー3には第2取付孔31、収容溝32と引込み線孔33が設けられている。第2取付孔31は透明カバー3の中心に位置して第1取付孔12と対向する。第2取付孔31の辺縁は側方向に延伸して第2フランジ34を形成し、第2フランジ34は第1フランジ13の周囲に係合する。
【００２２】
第2フランジ34の片側には外側に向かって台形の収容溝32が形成され、引込み線孔33は収容溝32の隣の第2フランジ34に設けられている。引込み線孔33は回路基板に接続する電源線の出入通路として用いられ、収容溝32は電源線の収容に用いられる。
透明カバー3の辺縁には透明カバー31と一体成形する係合縁35が設けられ、係合縁35はシャーシ1に係合する。
【００２３】
シャーシ1には留め金4が設けられ、留め金4とシャーシ1はねじにより固定接続する。留め金4はランプカバーの連結に用いられる。
【００２４】
上述は本考案のいくつかの実施形態である。当業者にとって、本考案の思想から離れない前提で、複数の変形と改善を行うことができるが、これらはすべて本考案の保護範囲内に属するべきである。
【図１】
0003201526.tif 000003
【図２】
0003201526.tif 000004
【図３】
0003201526.tif 000005
【図４】
0003201526.tif 000006
【図５】
0003201526.tif 000007